(57)【要約】【課題】  飲食品用容器において、外観上の風合い感を向上させ、また、一般の商品とは異なる手触り感を有する新規な構造を提案する。【解決手段】  少なくとも二重の層にて構成される容器壁を有する飲食品用容器であって、外表面の一部、又は、全部に、発泡層が表れる、飲食品用容器とする。これにより、発泡層による外観上の風合い感と手触り感により、他の商品との差別化を図ることが可能な飲食品用容器を実現できる。【選択図】図１
2016113203.tif 000002
【特許請求の範囲】
【請求項１】
少なくとも二重の層にて構成される容器壁を有する飲食品用容器であって、
外表面の一部、又は、全部に、発泡層が表れる、飲食品用容器。
【請求項２】
前記飲食品用容器は、
樹脂製又は紙製の内カップと、
前記内カップの外側に配設される樹脂層を有してなるカップ容器とする、
ことを特徴とする請求項１に記載の飲食品用容器。
【請求項３】
飲食品用容器は、
樹脂製又は紙製の容器内壁と、
前記容器内壁の外側に配設される樹脂層を有してなるパック容器とする、
ことを特徴とする請求項１に記載の飲食品用容器。
【請求項４】
前記発泡層の気泡の直径は、１０μｍ以上１００μｍ以下とし、
より好ましくは２０μｍ以上７０μｍ以下とする、
ことを特徴とする請求項１乃至３のいずれか一項に記載の飲食品用容器。
【請求項５】
前記発泡層の表面の光沢度は、３％以上１０％以下の値とし、
より好ましくは４％以上８％以下とする、
ことを特徴とする請求項１乃至４のいずれか一項に記載の飲食品用容器。
【請求項６】
前記発泡層は、予め作製された発泡シートにて構成される、
ことを特徴とする請求項１乃至５のいずれか一項に記載の飲食品用容器。
【請求項７】
前記発泡層は、少なくとも、手指が触れられる箇所に配置される、
ことを特徴とする請求項１乃至６のいずれか一項に記載の飲食品用容器。
【発明の詳細な説明】
【技術分野】
【０００１】
本発明は、飲料や食品などを収容するために用いられる容器に関する。
【背景技術】
【０００２】
従来、例えば、特許文献１に開示されるように、飲料を収容する容器において、多重構造とする構成が知られている。
【０００３】
特許文献１では、厚紙製の外カップ内に、薄肉の合成樹脂製の内カップを挿入し、両カップの間に断熱空間を形成することで、内容物の保温性などの向上が図られることが記載されている。
【先行技術文献】
【特許文献】
【０００４】
【特許文献１】特開２００４−２４４０７５号公報
【発明の概要】
【発明が解決しようとする課題】
【０００５】
特許文献１に開示されるようなカップ容器の場合、外カップが紙で構成されるため、結露により紙が水分を吸収した場合には、その見栄えが悪くなってしまう。
【０００６】
この点、紙を用いる飲食品用容器においては、紙の外装を光沢感のある樹脂フィルムにてラミネートすることで、紙による水分の吸収を防止する構成とするものが公知となっており、飲食品を収容する紙カップ容器や紙パック容器については、光沢感を呈する容器が主流となっている。
【０００７】
このため、店頭に陳列される容器の外観は、その表面に表れる図柄や模様のデザインにより消費者の注意を惹くことも可能であるが、基本的に光沢感を呈する点においては画一的な外観であった。発明者は、この点に着目し、他商品との外観上の風合い感を異ならせることにより、外観上の差別化が可能な方策を検討するに至った。
【０００８】
さらに、従来の紙カップ容器等は手にしたときの感触が画一的であるといえる。つまり、樹脂フィルムにてラミネートされて表面が平滑であるといえる。この点、仮に、一般の商品と異なる手触り感を付加することによれば、消費者の五感（触覚）に訴求することができ、消費者に対しその商品自体をより印象深くすることができるものとなる。
【０００９】
本発明は以上の点に鑑み、飲食品用容器において、外観上の風合い感を向上させ、また、一般の商品とは異なる手触り感を有する新規な構造を提案するものである。
【課題を解決するための手段】
【００１０】
本発明の解決しようとする課題は以上の如くであり、次にこの課題を解決するための手段を説明する。
【００１１】
即ち、請求項１に記載のごとく、
少なくとも二重の層にて構成される容器壁を有する飲食品用容器であって、
外表面の一部、又は、全部に、発泡層が表れる、飲食品用容器とする。
【００１２】
また、請求項２に記載のごとく、
前記飲食品用容器は、
樹脂製又は紙製の内カップと、
前記内カップの外側に配設される樹脂層を有してなるカップ容器とする。
【００１３】
また、請求項３に記載のごとく、
飲食品用容器は、
樹脂製又は紙製の容器内壁と、
前記容器内壁の外側に配設される樹脂層を有してなるパック容器とする。
【００１４】
また、請求項４に記載のごとく、
前記発泡層の気泡の直径は、１０μｍ以上１００μｍ以下とし、
より好ましくは２０μｍ以上７０μｍ以下とする。
【００１５】
また、請求項５に記載のごとく、
前記発泡層の表面の光沢度は、３％以上１０％以下の値とし、
より好ましくは４％以上８％以下とする。
【００１６】
また、請求項６に記載のごとく、
前記発泡層は、予め作製された発泡シートにて構成される。
【００１７】
また、請求項７に記載のごとく、
前記発泡層は、少なくとも、手指が触れられる箇所に配置される。
【発明の効果】
【００１８】
本発明の効果として、以下に示すような効果を奏する。
【００１９】
即ち、請求項１に記載の発明においては、発泡層による外観上の風合い感と手触り感により、他の商品との差別化を図ることが可能な飲食品用容器を実現できる。
【００２０】
また、請求項２に記載の発明においては、従来のカップ容器とは異なる外観上の風合い感と手触り感を有するカップ容器を実現できる。さらに、高い保温性が発揮されることで、省エネ輸送、省エネ販売、品質保持が図られる。
【００２１】
また、請求項３に記載の発明においては、従来のパック容器とは異なる外観上の風合い感と手触り感を有するカップ容器を実現できる。さらに、高い保温性が発揮されることで、省エネ輸送、省エネ販売、品質保持が図られる。
【００２２】
また、請求項４に記載の発明においては、発泡層の光沢度を低くすることが可能となり、光沢感のある樹脂フィルムとは大きく異なる風合い感を得ることが可能となる。
【００２３】
また、請求項５に記載の発明においては、光沢感のある樹脂フィルムとは大きく異なる風合い感を得ることが可能となる。
【００２４】
また、請求項６に記載の発明においては、カップやパック容器の外装に取り付けることで、実施することが可能となる。
【００２５】
また、請求項７に記載の発明においては、発泡表面の手触り感の機能を発揮させることができ、この手触り感を確実に発揮させ、消費者の五感（触覚）に訴求することが可能となる。
【図面の簡単な説明】
【００２６】
【図１】（Ａ）は本発明の一実施例に係るカップ容器の外観について示す図。（Ｂ）は従来の樹脂フィルムにてラミネートされたカップ容器の外観について示す図。
【図２】（Ａ）は本発明の一実施例に係る紙パック容器の外観について示す図。（Ｂ）は従来の樹脂フィルムにてラミネートされた紙パック容器の外観について示す図。
【図３】（Ａ）は本発明の一実施例に係るカップ容器の断面構造について示す図。（Ｂ）は本発明の一実施例に係る紙パック容器の断面構造について示す図。
【図４】（Ａ）は内カップの外表面への発泡シートの取り付けについて説明する図。（Ｂ）は筒状にした発泡シートを用いる例について説明する図。
【図５】（Ａ）はカップ容器の外表面の一部に発泡層が表れる構成について説明する図。（Ｂ）は紙パック容器の外表面の一部に発泡層が表れる構成について説明する図。（Ｃ）は手指が触れる箇所に発泡層が表れる構成について説明する図。
【図６】本発明の構造における保温効果について説明する図。
【発明を実施するための形態】
【００２７】
以下具体的な例を用いて本発明について説明する。
図１（Ａ）は、本発明の一実施例に係るカップ容器の外観について示す図である。
このカップ容器１は、乳飲料、コーヒー飲料、果汁飲料などのいわゆるチルド飲料が充填される容器として用いることができる。
【００２８】
カップ容器１の外観は、発泡シート１０の外表面により構成されており、発泡シート１０の発泡層１２の呈する風合いによって、図１（Ｂ）に示される従来の一般的な光沢感のあるカップ容器３の樹脂層３２の表面とは異なる外観を呈することができる。発泡層１２の表面にはカラー印刷により各種模様、文字表記を施すことや、発泡層１２の素材の色そのものによって各種模様、文字表記を施すことができる。
【００２９】
図２（Ａ）は、本発明の一実施例に係る紙パック容器５の外観について示す図である。
この紙パック容器５は、乳飲料、コーヒー飲料、果汁飲料などのいわゆるチルド飲料が充填される容器として用いることができる。
【００３０】
この紙パック容器５の外観は、発泡シート１０の外表面により構成されており、発泡シート１０の発泡層１２の呈する風合いによって、図２（Ｂ）に示される従来の一般的な光沢感のある紙パック容器７の樹脂層３２とは異なる外観を呈することができる。発泡層１２の表面にはカラー印刷により各種模様、文字表記を施すことや、発泡層１２の素材の色そのものによって各種模様、文字表記を施すことができる。
【００３１】
図３（Ａ）は、図１（Ａ）のカップ容器１の断面構造の一例について示すものであり、樹脂にて構成される内カップ２（図４も参照）の樹脂層２３と、発泡シート１０にて構成される発泡層１２と、を有して構成される。この構成において、内カップ２内に飲料などが収容され、内カップ２の外側に発泡層１２が配置される。
【００３２】
内カップ２の樹脂層２３の厚さは、例えば、５００μｍ〜１，０００μｍとすることができる。樹脂層２３の素材については特に限定されるものではないが、例えば、スチレン系、オレフィン系の樹脂を用いることが考えられる。なお、内カップ２は樹脂製とするほか、紙製のカップであってもよい。
【００３３】
発泡層１２の厚さは、例えば、５００μｍ〜２,０００μｍとすることができる。発泡シート１０の素材については、表面の光沢度（光の反射率）を低く実現できるものが用いられる。例えば、ポリエチレンを原料とする発泡シートを用いることが考えられる。
【００３４】
また、表面の光沢度については、例えば、ＪＩＳ  Ｚ  ８７４１に規定される光学条件において、光沢度を３％以上１０％以下の値とすることが考えられ、好ましくは４％以上８％以下、さらに好ましくは５％前後とすることが考えられる。光沢度については、市販の光沢計により測定することが可能である。
【００３５】
ここで、低い光沢度を実現するためには、発泡シート１０（発泡層１２）内の気泡の直径を可能な限り小さくすることが好ましい。例えば、気泡の直径を１０μｍ以上１００μｍと以下し、より好ましくは２０μｍ以上７０μｍ以下とすることが考えられ、これにより、光沢度を３％以上１０％以下の間に設定することが可能と考えられる。
【００３６】
さらに、カップ容器を手に持った際の手触り感は、発泡層１２の表面によって呈される感覚となるため、柔らかい感覚を与えることができる。また、発泡層１２の表面により、手指が滑り難いものとなる。
【００３７】
加えて、発泡層１２の呈する断熱性により、カップ容器内の内容物（飲料など）の温度変化を抑えることが可能となる。つまり、保温効果を得られることができる。
【００３８】
また、発泡層１２の呈する断熱性により、カップ容器内に高温度の飲料が入れられた場合でも、手に持った際に熱さを感じさせることがなく、逆に、カップ容器内に低温度の飲料が入れられた場合には、発泡層１２の表面の結露の発生が防止される。
【００３９】
図３（Ｂ）は、図２（Ａ）の紙パック容器５の断面構造の一例について示すものであり、紙２０にて構成される紙層２２と、樹脂フィルム３０にて構成される樹脂層３２と、発泡シート１０にて構成される発泡層１２と、を有して構成される。樹脂層３２は紙層２２の内側及び外側面に配置され、発泡層１２はカップ容器の外側に配置される。なお、紙層２２を用いずに、樹脂層３２と発泡層１２のみにより容器を構成することや、紙層２２の代替として樹脂層３２とは異なる別の樹脂層を用いることとしてもよい。
【００４０】
紙層２２は、例えば、坪量で１５０ｇ／ｍ２〜３００ｇ／ｍ２とすることができる。紙２０の素材については特に限定されるものではない。
【００４１】
紙層２２の内側面及び外側面に配設される樹脂層３２の厚さは、例えば、２０μｍ〜１００μｍとすることができる。樹脂フィルム３０の素材については、紙層２２に水分が染み込むことを防止し、また、容器内に溶出しないものが用いられる。例えば、ＰＥを用いることが考えられる。
【００４２】
以上の紙層２２と樹脂層３２によって、容器内壁３５が構成され、この容器内壁３５の外表面の一部、又は、全部を覆うように、発泡層１２が紙層２２の外側面に配設される。
【００４３】
発泡層１２の厚さは、例えば、５００μｍ〜２０００μｍとすることができる。発泡層１２の素材については、表面の光沢度（光の反射率）を低く実現できるものが用いられる。例えば、ポリエチレンを原料とする発泡シートを用いることが考えられる。
【００４４】
また、表面の光沢度については、例えば、ＪＩＳ  Ｚ  ８７４１に規定される光学条件において、光沢度を３％以上１０％以下の値とすることが考えられ、好ましくは４％以上８％以下、さらに好ましくは５％前後とすることが考えられる。光沢度については、市販の光沢計により測定することが可能である。
【００４５】
ここで、低い光沢度を実現するためには、発泡シート１０（発泡層１２）内の気泡の直径を可能な限り小さくすることが好ましい。例えば、気泡の直径を１０μｍ以上１００μｍと以下し、より好ましくは２０μｍ以上７０μｍ以下とすることが考えられ、これにより、光沢度を３％以上１０％以下の間に設定することが可能と考えられる。
【００４６】
さらに、紙パック容器を手に持った際の手触り感は、発泡層１２の表面によって呈される感覚となるため、柔らかい感覚を与えることができる。また、発泡層１２の表面により、手指が滑り難いものとなる。
【００４７】
加えて、発泡層１２の呈する断熱性により、紙パック容器内の内容物（飲料など）の温度変化を抑えることが可能となる。つまり、保温効果を得られることができる。
【００４８】
また、発泡層１２の呈する断熱性により、紙パック容器内に高温度の飲料が入れられた場合でも、手に持った際に熱さを感じさせることがなく、逆に、紙パック容器内に低温度の飲料が入れられた場合には、発泡層１２の表面の結露の発生が防止される。
【００４９】
図４（Ａ）は、図２（Ａ）のカップ容器１の製造方法について説明するものであり、内カップ２の外側面に発泡シート１０を巻きつけるようにして取り付ける形態について示すものである。図４（Ｂ）は、予め筒状とした発泡シート１０に、内カップ２を差し込むようにして取り付ける形態について示すものである。内カップ２と発泡シート１０は、ヒートシール（熱圧着）、接着剤利用、嵌め込み、などにより一体化することができ、特に限定されるものはない。
【００５０】
また、図４（Ａ）（Ｂ）のようにして発泡層を形成するほか、例えば、内カップ２の樹脂層２３を基材としてその表面に発泡原料素材を付着さておき、その後の発泡プロセスにより発泡層を形成することとしてもよい。
【００５１】
以上のように図４（Ａ）（Ｂ）を用いてカップ容器について発泡層を設けることについての説明を行ったが、紙パック容器においても同様の方法により発泡層を設けることが可能である。
【００５２】
さらに、図５（Ａ）（Ｂ）のように、容器の外表面の一部に発泡層１２の発泡表面が表れる構成とすることとしてもよい。図５（Ａ）（Ｂ）では、発泡層１２の一部に光沢度の高い外装フィルム１５が貼付され、この外装フィルム１５に商品名などをデザインする構成とするものである。
【００５３】
このような構成によれば、光沢度の高い外装フィルム１５と、光沢度の低い発泡表面のコントラストが生まれ、特徴的な外観のデザインを構成することができる。また、デザインのみならず、発泡層１２の手触り感の機能を発揮させることができる。
【００５４】
さらに、この手触り感を確実に発揮させて消費者の五感（触覚）に訴求するために、例えば、図５（Ｃ）に示すようにカップ容器１Ｃのように手指が触れる箇所に発泡層１２の発泡表面が表れる（例えば、外装フィルム１５の一部が刳り貫くように形成）構成とすることなども考えられる。
【００５５】
図６は、本発明の構成によるカップ容器の断熱性に関し、温度変化を測定したグラフを示すものである。
【００５６】
市販のカップ容器（スチレン製）の外側に発泡シートを設けた本発明の構成を実施例１とし、同じ市販のカップ容器を比較例１とし、市販の断熱機能を有する紙製カップ容器を比較例２とし、内容物（水）の温度変化を観測した。
【００５７】
まず、各容器に１５０ｍｌの水を入れ、開口部をアルミ箔にて蓋する。各容器内には温度測定用の熱伝対が事前に入れられる。そして、各容器を恒温器にて水の温度を−２℃となるまで冷却して安定させた後、２０℃に設定した別の恒温器に各容器を移し、容器内の水温の変化を測定した。
【００５８】
図６に示されるように、本発明に係る実施例１の構成では、水の温度が−２℃から１０℃に到達するまで約５０分程度を要したが、比較例１では約１０分程度で１０℃に到達してしまう。保温効果を次官で比較した場合に、本発明の構成によれば約５倍の保温効果を有するものといえる。
【００５９】
また、比較例２（市販の断熱機能を有する紙製カップ容器）では、水の温度が−２℃から１０℃に到達するまで約４０分程度を要する結果となったが、実施例１はより長い約５０分という結果であり、市販の断熱機能を有する紙製カップ容器と比較しても、本発明の構成の保温効果が高いものであることが確認された。
【００６０】
以上のように、本発明の構成によれば、容器内の内容物の保温性を高めることが可能となる。そして、これによれば、例えば低温のチルド飲料を工場から店舗へ輸送する際、又は、店舗において倉庫から店頭へ陳列する際において、低温に保つための冷蔵温度を従来と比較して高めることが可能となる。つまりは、要冷蔵に必要なエネルギーを低減することが可能となり、省エネ輸送、省エネ販売といった副次的効果を得ることも可能となる。保温性の向上による品質保持効果も当然に得ることができる。
【００６１】
以上のようにして本発明を実現することができる。
即ち、少なくとも二重の層にて構成される容器壁を有する飲食品用容器であって、
外表面の一部、又は、全部に、発泡層が表れる、飲食品用容器とするものである。
【００６２】
これにより、発泡層による外観上の風合い感と手触り感により、他の商品との差別化を図ることが可能な飲食品用容器を実現できる。
【００６３】
また、図１（Ａ）に示すように、飲食品用容器は、樹脂製又は紙製の内カップ２と、内カップ２の外側に配設される樹脂層３２を有してなるカップ容器とする、こととする。
【００６４】
これにより、従来のカップ容器とは異なる外観上の風合い感と手触り感を有するカップ容器を実現できる。さらに、高い保温性が発揮されることで、省エネ輸送、省エネ販売、品質保持が図られる。
【００６５】
また、図２（Ａ）に示すように、飲食品用容器は、樹脂製又は紙製の容器内壁３５（図３（Ｂ））と、容器内壁３５の外側に配設される樹脂層３２を有してなるパック容器とする、こととする。
【００６６】
これにより、従来のパック容器とは異なる外観上の風合い感と手触り感を有するカップ容器を実現できる。さらに、高い保温性が発揮されることで、省エネ輸送、省エネ販売、品質保持が図られる。
【００６７】
また、発泡層１２の気泡の直径は、１０μｍ以上１００μｍ以下とし、より好ましくは２０μｍ以上７０μｍ以下とする、こととする。
【００６８】
これにより、発泡層１２の光沢度を低くすることが可能となり、光沢感のある樹脂フィルムとは大きく異なる風合い感を得ることが可能となる。
【００６９】
また、発泡層１２の表面の光沢度は、３％以上１０％以下の値とすることが考えられ、好ましくは４％以上８％以下とする、こととする。
【００７０】
これにより、光沢感のある樹脂フィルムとは大きく異なる風合い感を得ることが可能となる。
【００７１】
また、発泡層１２は、予め作製された発泡シート１０にて構成される、こととする。
【００７２】
これにより、カップやパック容器の外装に取り付けることで、実施することが可能となる。
【００７３】
また、発泡層１２は、少なくとも、手指が触れられる箇所に配置される、こととする。
【００７４】
これにより、発泡表面の手触り感の機能を発揮させることができ、この手触り感を確実に発揮させ、消費者の五感（触覚）に訴求することが可能となる。
【産業上の利用可能性】
【００７５】
本発明は、飲料や食品を収容する容器について、幅広く適用することができる。
【符号の説明】
【００７６】
１    カップ容器
２    内カップ
５    紙パック容器
１０    発泡シート
１２    発泡層
２０    紙
２２    紙層
２３    樹脂層
３０    樹脂フィルム
３２    樹脂層
【図１】
2016113203.tif 000003
【図２】
2016113203.tif 000004
【図３】
2016113203.tif 000005
【図４】
2016113203.tif 000006
【図５】
2016113203.tif 000007
【図６】
2016113203.tif 000008